(57)【要約】【課題】実装もしくは配線スペースを確保することができる接続構造を提供する。【解決手段】リード端子１２をコネクタ２の挿入部２３に挿入することにより、液晶パネル１と回路基板３とを電気接続してなる接続構造において、挿入部２３がリード端子１２を回路基板３の第１の面３１とは反対側となる第２の面３２側に挿通可能に形成され、回路基板３がリード端子１２を挿入する貫通部３３と、第１の面３１側に形成されコネクタ２と電気接続される第１の回路パターン３４と、第２の面側３２に形成される第２の回路パターン３５と、第１，第２の回路パターン３４，３５どうしを貫通部３３の内壁面を通して電気接続する接続パターン３６とを有する。【選択図】図１
2008304811.tif 000002
【特許請求の範囲】
【請求項１】
リード端子を有する部材と、
回路パターンを有する回路基板と、
この回路基板の前記部材が配置される第１の面側に実装され、前記リード端子を挿入する挿入部を有するハウジングと、一端が前記ハウジング外に露出すると共に前記第１の面側で前記回路パターンに電気接続され、他端が前記リード端子を前記挿入部に挿入した際に前記ハウジング内で前記リード端子と電気接続される接続端子とを備えたコネクタとを備え、
前記リード端子を前記挿入部に挿入することにより、前記部材と前記回路基板とを電気接続してなる接続構造において、
前記挿入部が前記リード端子を前記回路基板側に貫通可能に形成され、
前記回路基板が前記挿入部に連通すると共に前記リード端子を前記第１の面側から挿入する貫通部と、前記第１の面側に形成され前記接続端子の前記一端と電気接続される第１の回路パターンと、前記第１の面とは反対側となる第２の面側に形成される第２の回路パターンと、前記第１の回路パターンと前記第２の回路パターンとを前記貫通部の内壁面を通して電気接続する接続パターンとを有することを特徴とする接続構造。
【請求項２】
前記リード端子が前記貫通部を通じて前記第２の面側に突出していることを特徴とする請求項１記載の接続構造。
【発明の詳細な説明】
【技術分野】
【０００１】
本発明は、例えば液晶パネルのごときリード端子を有する部材をコネクタを介して回路基板に電気接続する接続構造に関する。
【背景技術】
【０００２】
この種の接続構造として、例えば下記特許文献１に記載されているものが知られている。当該特許文献記載の接続構造は、リード端子を有する液晶パネルと、回路パターンを有する回路基板と、この回路基板の液晶パネルが配置される第１の面側に実装されるコネクタとを備えている。当該特許文献では詳細記述はないが、コネクタとしては、リード端子を挿入する挿入部を有するハウジングと、一端がハウジング外に露出すると共に第１の面側で回路パターンに電気接続され、他端がリード端子を挿入部に挿入した際にハウジング内でリード端子と電気接続される接続端子とを備えたものが使用されることがあり、リード端子を挿入部に挿入することにより、液晶パネルと回路基板とを電気接続を達成するようになっている。
【０００３】
ところで、この種の導通構造にあっては、回路基板として両面に回路パターンを有する回路基板を用い、回路基板の第１の面側とは反対側となる第２の面側に形成した回路パターンと、回路基板の第１の面側に形成した回路パターンとの両方を経てリード端子に通電を図るタイプのものがあり、この場合、第１の面側の回路パターンと第２の面側の回路パターンとは導電性のスルーホールを通じて電気接続される。
【０００４】
また、この種の導通構造にあっては、回路基板にコネクタの挿入部に連通すると共にリード端子を挿入する貫通部を設け、この貫通部を通してリード端子を目視可能に構成することで、リード端子が確実にコネクタに挿入されたか否かを確認できるようにしたものがある。
【特許文献１】特開２００５−０８４６２２号公報
【発明の開示】
【発明が解決しようとする課題】
【０００５】
しかしながら、導電性スルーホールで接続された両面回路パターンを通じてリード端子との導通を図ると共に貫通部を通じてリード端子を目視可能とする回路基板を用いた場合、回路基板に導電性スルーホールと貫通部とを設けることになるため、高密度実装が望まれる回路基板にあっては、スペースを確保することができなかったり、回路部品の実装レイアウトやアートワークを煩雑にしてしまうといった問題があった。
【０００６】
本発明は、この点に鑑みてなされたもので、実装もしくは配線スペースを確保することができる接続構造を提供するものである。
【課題を解決するための手段】
【０００７】
本発明は、前記目的を達成するため、リード端子を有する部材と、回路パターンを有する回路基板と、この回路基板の前記部材が配置される第１の面側に実装され、前記リード端子を挿入する挿入部を有するハウジングと、一端が前記ハウジング外に露出すると共に前記第１の面側で前記回路パターンに電気接続され、他端が前記リード端子を前記挿入部に挿入した際に前記ハウジング内で前記リード端子と電気接続される接続端子とを備えたコネクタとを備え、前記リード端子を前記挿入部に挿入することにより、前記部材と前記回路基板とを電気接続してなる接続構造において、前記挿入部が前記リード端子を前記回路基板側に貫通可能に形成され、前記回路基板が前記挿入部に連通すると共に前記リード端子を前記第１の面側から挿入する貫通部と、前記第１の面側に形成され前記接続端子の前記一端と電気接続される第１の回路パターンと、前記第１の面とは反対側となる第２の面側に形成される第２の回路パターンと、前記第１の回路パターンと前記第２の回路パターンとを前記貫通部の内壁面を通して電気接続する接続パターンとを有することを特徴とする。
【０００８】
また本発明は、前記リード端子が前記貫通部を通じて前記第２の面側に突出していることを特徴とする。
【発明の効果】
【０００９】
本発明によれば、初期の目的を達成でき、実装もしくは配線スペースを確保することができる接続構造を提供することができる。
【発明を実施するための最良の形態】
【００１０】
図１は、本発明の一実施形態として、本発明による接続構造を液晶パネルの接続構造に適用したときの断面図である。
【００１１】
図１において、本実施形態による液晶パネルの接続構造は、液晶パネル１をコネクタ２を介して回路基板３に電気接続するものである。
【００１２】
液晶パネル１は、一対のガラス基板間に液晶分子を封入してなる液晶セル１１と、この液晶セル１１に作動用電力を供給するリード端子１２とを有し、図示しないホルダによって安定的に保持されている。
【００１３】
コネクタ２は、回路基板３の液晶パネル１が配置される第１の面（後述）側に実装されており、ハウジング２１と接続端子２２とを備えている。
【００１４】
ハウジング２１は、合成樹脂等の絶縁性材料からなり、リード１２を挿入する挿入部２３と、接続端子２２を収容保持する端子収容部２４とを有している。
【００１５】
挿入部２３は、リード端子１２を回路基板３側に貫通させることが可能に形成され、また端子収容部２４は、その一部が挿入部２３と連通している。
【００１６】
接続端子２２は、一端がハウジング２１の外部に露出すると共に前記第１の面側で後述する回路パターンに電気接続され、他端がリード端子１２を挿入部２３に挿入した際にハウジング２１内でリード端子１２と接触して電気接続されるように保持されている。
【００１７】
回路基板３は、硬質回路基板からなり、液晶パネル１が配置される側となる第１の面３１と、この第１の面３１とは反対側となる第２の面３２と、リード端子１２（挿入部２３）に対応する箇所に挿入部２３と連通するように形成され、リード端子１２を挿入して第１の面側３１から第２の面３２側に貫通させ、第２の面３２から突出させる貫通部３３と、第１の面３１側に形成され接続端子２２の前記一端とハンダ付けにより電気接続される第１の回路パターン３４と、第２の面３２側に形成される第２の回路パターン３５と、第１の回路パターン３４と第２の回路パターン３５とを貫通部３３の内壁面を通して電気接続する接続パターン３６とを有している。
【００１８】
この場合、貫通部３３の内壁面に接続パターン３６を形成することで、導電性スルーホールＴＨを形成しており、この導電性スルーホールＴＨを介して第１，第２の回路パターン３４，３５を導通接続すると共にリード１２を第１の面３１側から第２の面３２側に貫通させており、従って導電性スルーホールＴＨは、第１，第２の回路パターン３４，３５どうしの導通接続とリード端子１２の挿入とで二つの機能を担っている。
【００１９】
なお導電性スルーホール（貫通部）ＴＨにリード１２を挿入することで、回路基板３の第２の面３２側から目視によりリード端子１２がコネクタ２に正規挿入されたか否かを判別することができる。すなわち、導電性スルーホール（貫通部）ＴＨにリード１２を挿入されていれば、正規挿入状態との判別が可能であり、特に本実施形態では、正規挿入状態で、リード端子１２が第２の面３２から突出するように構成したことで、判別の容易化を図っている。
【００２０】
以上のように本実施形態では、リード端子１２を有する液晶パネル（部材）１と、回路パターン３４，３５を有する回路基板３と、この回路基板３の液晶パネル１が配置される第１の面３１側に実装され、リード端子１２を挿入する挿入部２３を有するハウジング２１と、一端がハウジング２１外に露出すると共に第１の面３１側で回路パターン３４に電気接続され、他端がリード端子１２を挿入部２３に挿入した際にハウジング２１内でリード端子１２と電気接続される接続端子２２とを備えたコネクタ２とを備え、リード端子１２を挿入部２３に挿入することにより、液晶パネル１と回路基板３とを電気接続してなる接続構造において、挿入部２３がリード端子１２を回路基板３の第１の面３１とは反対側となる第２の面３２側に挿通可能に形成され、回路基板３が挿入部２３に連通すると共にリード端子１２を第１の面３１側から挿入する貫通部３３と、第１の面３１側に形成され接続端子２２の前記一端と電気接続される第１の回路パターン３４と、第２の面側３２に形成される第２の回路パターン３５と、第１の回路パターン３４と第２の回路パターン３５とを貫通部３３の内壁面を通して電気接続する接続パターン３６とを有することにより、高密度実装が望まれる回路基板にあって、実装または配線スペースを確保することができ、そのぶん、回路部品の実装レイアウトやアートワークの煩雑さを軽減することができる。
【００２１】
また本実施形態では、リード端子１２が貫通部３３を通じて第２の面３２側に突出していることにより、リード端子１２のコネクタ２への挿入状態を判別する際に、容易に判別でき、作業性を向上させることができる。
【００２２】
なお本実施形態では、リード端子１２を持つ部材として液晶パネル１を例として説明したが、リード端子１２を持つ部材であれば、あらゆる部材を適用でき、例えば液晶パネル１の替わりに他の回路や部品と回路基板３とを電気接続するピンヘッダーを用いてもよい。
【図面の簡単な説明】
【００２３】
【図１】本発明の一実施形態として、本発明による接続構造を液晶パネルの接続構造に適用したときの断面図。
【符号の説明】
【００２４】
１  液晶パネル
２  コネクタ
３  回路基板
１１  液晶セル
１２  リード端子
２１  ハウジング
２２  接続端子
２３  挿入部
２４  端子収容部
３１  第１の面
３２  第２の面
３３  貫通部
３４  第１の回路パターン
３５  第２の回路パターン
３６  接続パターン
ＴＨ  導電性スルーホール
【図１】
2008304811.tif 000003